(57)【要約】      （修正有）【課題】室内の汚染空気を、屋外に排気し、コロナウイルスの排除と、三密解消を可能とした構成の建屋を提供する。【解決手段】床下より外気を吸込み、床・室内の角隅より、屋根裏の棟から室内空気を排気する複数の真上流路を備え、複数の真上流路は、室内の角隅に形成し、真上流路下端は、室内の床の角隅に形成した外気角隅吸込口に、真上流路上端は、建屋の天井の角隅吹出口、及び屋根裏の複数の排気口、それぞれ連係し、外気角隅吸込口は、床下空間と壁角隅の角隅吸込口に、それぞれ連係し、屋根の建屋妻面に送風機を配備し、室内空気の第２空気流の流れは、真上流路を流れる第１空気流によって形成し、第１空気流、及び第２空気流で、室内全体の換気促進を図る建屋である。【選択図】図１
2022000602.tif 000002
【特許請求の範囲】
【請求項１】
床下より外気を吸込み、床角隅、及び室内の角隅を経由し、屋根裏の棟から室内空気を排気する複数の真上流路を備えた建屋は、
前記複数の真上流路は、前記室内の角隅にそれぞれ形成し、
この複数の真上流路の下端は、前記室内の床の角隅に形成した複数の吸込口に、また、この複数の真上流路の上端は、前記建屋の天井の角隅に開口した複数の吹出口、及び前記屋根裏の複数の排気口に、それぞれ連係し、
前記複数の吸込口は、前記建屋の床下空間を介して、この床下の壁の角隅に形成した複数の角隅吸込口に、それぞれ連係し、
前記複数の排気口は、前記建屋の対峙する妻面に設け、この複数の排気口にそれぞれ送風機を配備し、
た構成であって、
前記室内空気の第２空気流の流れは、前記真上流路を流れる第１空気流によって形成し、
この第１空気流、及びこの第２空気流で、この室内全体の換気促進を図る、
構成とした建屋。
【請求項２】
前記真上流路、及び／又は、前記第２空気流、及び／又は、前記屋根裏に、送風機を配備する構成とした請求項１に記載の建屋。
【請求項３】
前記真上流路の前記吸込口、及び／又は、前記排気口にシャッタを配備し、このシャッタは、前記建屋に備えたセンサの働きで、自動開閉する構成とした請求項１に記載の建屋。
【請求項４】
前記送風機で、前記排気口より、前記建屋の空気を排出する構成とした請求項１に記載の建屋。
【発明の詳細な説明】
【技術分野】
【０００１】
本発明は、コロナウイルスの感染を回避できる三密解消を可能とした建屋（本発明で、建屋とは、例えば、部屋、カラオケルーム、個室等を含む概念である）に関する。
【背景技術】
【０００２】
コロナウイルスの感染を拡大しうる三密状態を回避するために、下記のようなことが必要とされている。
【０００３】
即ち、三密状態とは、密閉、密集、密接であり、この三密解消が、新型コロナウイルス感染症の予防に有効である。従って、政府や自治体は、三密を避けてほしい、と繰り返し呼び掛けている。
【０００４】
理由は、次の通りである。「換気の悪い密閉空間」と、「多数が集まる密集場所」と、「間近で会話や発声をする密接場面」であって、これら三つの条件が重なると、感染者の集団発生が起きやすいことが国内外の調査で分かっている。例えば、屋形船、ライブハウス、懇親会等の場で集団感染が確認されていることが理由である。
【０００５】
具体的には、三密状態において、会話等で飛び散る飛沫に含まれるコロナウイルスを吸い込みやすい環境回避を含み、併せて軽症や自覚症状がない人からの感染によるコロナウイルスを排除することで、目的とする新型コロナウイルスを、望ましくは、徹底的に排除する。
【０００６】
例えば、周知の如く、東京都においては、ナイトクラブ等接待を伴う夜間営業の飲食店で感染が疑われる事例が多発し、某知事殿は、２０２０年３月３０日、これらの店やカラオケ店等の利用を当面自粛するよう要請した。
【０００７】
しかしながら、現状では、室内の汚染空気を、屋外に排気し、コロナウイルスの排除と、三密解消を可能とした構成の建屋に関しては、明確な考えと構造は提案されていないと考える。
【０００８】
以上のような要望を踏まえて、現状を考察すると、具体的な指針は示されていないことと、構造の提案はないものと考える。
【０００９】
室内空気換気を図る発明として、特開２０１７−１６１１６６号公報（特許文献１）に記載の発明がある。構成は、床下空気を床面の吸込口から、壁面に沿って真上に送り、天井の吹出口より室外に排気することと、室内の天井に付設した換気扇を利用し、室内空気を、前記壁面に向かって送り、この壁面を流れる室内空気（汚染空気）に合体し、この汚染空気も効率的に換気する。
【先行技術文献】
【非特許文献】
【００１０】
【非特許文献１】佐賀新聞ＬｉＶＥ  ＜新型コロナ＞３つの「密」三密なぜ駄目？集団感染起きやすいｈｔｔｐｓ：／／ｗｗｗ．ｓａｇａ―ｓ．ｃｏ．ｊｐ／ａｒｔｉｃｌｅｓ／―／５１０２７６
【特許文献】
【００１１】
【特許文献１】特開２０１７−１６１１６６号公報
【発明の概要】
【発明が解決しようとする課題】
【００１２】
特許文献１においては、室内換気に有効であるが、汚染空気を、真上に流れる流路（直上流路）に効率的に誘引するには、第１ファンと第２ファンのマッチングを図る必要があり、構造が複雑となる。
【課題を解決するための手段】
【００１３】
そこで、本発明は、室内の汚染空気を、屋外に排気し、コロナウイルスの排除と、三密解消を可能とした構成の建屋に関して提案し、前述した課題を解決するために、後述する請求項１〜請求項４を開示する。
【発明の効果】
【００１４】
請求項１では、
床下より外気を吸込み、床角隅、及び室内の角隅を経由し、屋根裏の棟から室内空気を排気する複数の真上流路を備えた建屋は、
複数の真上流路は、室内の角隅にそれぞれ形成し、
複数の真上流路の下端は、室内の床の角隅に形成した複数の吸込口に、また、複数の真上流路の上端は、建屋の天井の角隅に開口した複数の吹出口、及び屋根裏の複数の排気口に、それぞれ連係し、
複数の吸込口は、建屋の床下空間を介して、床下の壁の角隅に形成した複数の角隅吸込口に、それぞれ連係し、
複数の排気口は、建屋の対峙する妻面に設け、複数の排気口にそれぞれ送風機を配備し、
た構成であって、
室内空気の第２空気流の流れは、真上流路を流れる第１空気流によって形成し、
第１空気流、及び第２空気流で、室内全体の換気促進を図る、
構成とした建屋である。
【００１５】
請求項１は、建屋の角隅の真上流路と、この真上流路の流れに、室内空気を誘引し、室内全体の換気を促進する。この促進を図る手立てが、棟に設けた対の送風機である。また、第１空気流で、室内を移動する第２空気流を誘引することを特徴とする。
【００１６】
請求項２では、
真上流路、及び／又は、第２空気流、及び／又は、屋根裏に、送風機を配備する構成とした建屋である。
【００１７】
請求項２は、請求項１の目的達成と、その為に最適な送風機の配備を提供する。
【００１８】
請求項３では、
真上流路の吸込口、及び／又は、排気口にシャッタを配備し、シャッタは、建屋に備えたセンサの働きで、自動開閉する構成とした建屋である。
【００１９】
請求項３は、請求項１の目的達成と、最適なシャッタの配備と、その自動制御手段の提供である。
【００２０】
請求項４では、
送風機で、排気口より、建屋の空気を排出する構成とした建屋である。
【００２１】
請求項４は、請求項１の目的達成と、最適な排気口の提供である。
【図面の簡単な説明】
【００２２】
【図１】建屋が日本家屋（一例）である第１例であり、澱み空気、及び室内空気を、真上流路により室内全体換気を達成する（三密解消を図る）一例を示した断面模式図
【図２】図１の屋根欠截で室内空気の流れを、かつ天井、及び／又は、床欠截で吹出口と吸込口を、それぞれ示した俯瞰模式図
【図３】（イ）図１の建屋全体の空気の流れを示した模式図、（ロ）別の実施例による図１の建屋全体の空気の流れを示した模式図
【図４】図３において、（イ）無風の場合に、屋根裏に設けたファン稼働による屋根裏の空気の流れを示した模式図、（ロ）屋根裏を流れる自然風による屋根裏の空気の流れを示した模式図
【発明を実施するための形態】
【００２３】
以下、本発明の各実施例を、図面に基づき、順に説明するが、この説明と各図面に限定されない。従って、説明と各図面に基づいて、概念が類似、又は符合するものは、本発明の範疇である。
【００２４】
図１、図３は、一例であり、建屋１が日本家屋の場合であり、建屋１は、例えば、屋根２と、この屋根２を支える壁３及び天井４と、壁３を支える床５と、床５を支える床下６で構成され、この天井４、壁３、及び床５で仕切られた空間が室内１００であり、この建屋１の外側が室外１０１となる。図中１０２は建屋１の棟を示す。
【００２５】
図１、図４（イ）、（ロ）において、屋根２は、屋根空間２００（屋根裏）を備えていて、この屋根２の長手方向（棟方向）の壁２ａ、２ａ（対の構造では、単に壁２ａとする。以下同じ）には、それぞれ（それぞれには、一方も含む。以下同じ）送風機１０を備えるとともに、それぞれ排気口１１を備えている。排気口１１にはそれぞれシャッタ１２を備える。尚、屋根２は尖がり屋根も有り得る（図示しない）。シャッタ１２は、送風機１０の稼働中は、開放される。例えば、図４（イ）の通りである。唯、強風時には、自動で開放される。例えば、図４（ロ）の通りである。排気口１１の開放を利用して、屋根空間２００の汚染空気Ａを、排気口１１から室外に排気する。
【００２６】
図２に、建屋１の屋根２を欠截した上で、室内１００の空気の流れと、後述する角隅吹出口１５、角隅吸込口１６、及び外気角隅吸込口２１を俯瞰視した俯瞰模式図を示す。図中カットＡは、建屋１の屋根２に加えて天井４をカットした状態における俯瞰模式図で、さらに、カットＢは建屋１の屋根２に加えて天井４と床５をカットした状態における、床下空間６００の俯瞰模式図を示す。汚染空気Ａが第２空気流Ａ２により建屋１の角隅に吸引されることを示している。
【００２７】
図３（イ）、（ロ）の如く、天井４には、それぞれの角隅に、後述する真上流路２０に繋がる角隅吹出口１５を形成する。これにより、真上流路２０を介して、送られてくる汚染空気Ａを屋根空間２００に吹き出す構造である。尚、角隅吹出口１５に、図示しないが、シャッタを備え、角隅の箇所を、自由に開閉できる構造とすることも有効である。例えば、人の過密度、汚染空気の発生有無に有効であり、かつ省エネに役立つことが考えられる。
【００２８】
図３（イ）の如く、壁３は、後述する床５の角隅に開口した角隅吸込口１６から送られる空気を、床５から天井４に送る真上流路２０を、それぞれの角隅に、形成する。この真上流路２０の形成は、天井４のそれぞれの角隅に開口した角隅吹出口１５から屋根空間２００に吹き出される汚染空気Ａの流量と風速の働きによる。そして、この汚染空気Ａの流れを第１空気流Ａ１と称する。また、この第１空気流Ａ１は、室内１００の中を流れるか、又は留まる空気（澱んだ空気）を引き寄せる働きがあって、室内１００の換気を促進する。そして、この室内１００の中を流れるか、又は留まる空気（澱んだ空気）を引き寄せる働きを、第２空気流Ａ２と称する。また、壁３の近辺は、空気が澱み易くなり、この澱んだ汚染空気Ａは、第１空気流Ａ１に吸引されて、角隅吹出口１５に送られる。また、図３（ロ）の如く、角隅吸込口１６をスリット形状とし、角隅吸込口１６から室内１００に導入する空気量を調整しても良い。
【００２９】
図３（イ）、（ロ）において、天井４のそれぞれの角隅には、前述した角隅吹出口１５が複数形成されており、角隅吹出口１５からの汚染空気Ａは、屋根２の壁２ａに開口した排気口１１と、送風機１０の働きで、屋根空間２００を経由し、室外１０１に排気される。これらのそれぞれの空気の流れは、図３（イ）、（ロ）と図４（イ）、（ロ）に矢視してある。
【００３０】
図３（イ）、（ロ）において、床５のそれぞれの角隅には、角隅吸込口１６が複数形成されており、角隅吸込口１６は、床下６の床下空間６００に繋がり、かつ床下６の壁６ａの角隅に形成した複数の外気角隅吸込口２１に繋がる構造である。従って、外気は、外気角隅吸込口２１より、床下空間６００に至った後、角隅吸込口１６を経て、第１空気流Ａ１の流れとなる。即ち、新鮮な外気を室内１００に取り入れ、換気の促進、及び／又は、希釈化を図る。この外気角隅吸込口２１にもシャッタを付設することが有り得る。
【００３１】
以上で説明したように、本発明では、次のような空気（新鮮な外気と汚染空気Ａ）の流れとなる。即ち、外気は、室外１０１→外気角隅吸込口２１→床下空間６００→床５の角隅吸込口１６（床５）→真上流路２０（第１空気流Ａ１であり、原則として汚染空気Ａ）、及びこの第１空気流Ａ１で惹起される室内空気の流れ（汚染空気Ａであり、第２空気流Ａ２）→天井４の角隅吹出口１５→屋根２の屋根空間２００→排気口１１→室外１０１となる。尚、床下空間６００は空気の冷暖化に役立てる。
【００３２】
前述した空気のそれぞれの流れは、室内１００の真上流路２０の流れを軸に、室内１００の空気の流れ、併せて屋根２、及び屋根空間２００の空気の流れを示す。これにより、建屋１全体の空気の流れを介して、建物１全体の換気が、スムーズ、かつ効率的に可能となる。この空気の流れは、図３（イ）、（ロ）と図４（イ）、（ロ）に示してある。
【００３３】
前述の如く、図４（イ）は、送風機１０等の稼働による屋根２と屋根空間２００の空気の流れを示した状態である。外気に流れが無いときを想定した。また、図４（ロ）は、自然換気による屋根２と屋根空間２００の空気の流れを示した状態であり、強風下において、有効性がある。
【００３４】
また、図３（ロ）の如く、それぞれの第１空気流Ａ１の流路に、送風機１０ａか、併せて、それぞれの第２空気流Ａ２の流路に、補助用の送風機１０ｂを付設し、その流れを促進することも可能である。即ち、第１・２空気流Ａ１、Ａ２の強制換気を促すことがよい。図中１０ｃは屋根２に付設した送風機で、屋根空間２００に留まる汚染空気Ａの流れを促進する。これらの送風機１０ａ〜１０ｃは必要により配備される。換気促進のためには、配備することが望ましい。
【００３５】
前述した各送風機１０ａ〜１０ｃ、シャッタ１２等の機器は、図示しない制御機構でコントロールすることも考えられ、建屋１の自動換気の実効性と、省エネ、三密回避に有効である。
【００３６】
前述した角隅とは、例えば、建物１が四辺（四つの壁３を備える）とした例では、二つの壁３、３が９０°で連係する角隅であり、この角隅、及び／又は、その近接箇所に真上流路２０が形成されることが、理想であり、かつ角隅吸込口１６、及び角隅吹出口１５も同じように、角隅、及び／又は、その近接箇所に形成することが理想である。
【００３７】
図示しないが、室内１００の全体換気促進、三密回避の迅速化等を意図し、外気角隅吸込口２１、角隅吸込口１６、又は角隅吹出口１５の開設箇所は、数を多くすることも有効である。例えば、開設箇所では、壁６ａ、壁３、及び／又は、屋根２の壁２ａの内側、或いは床５、天井４等の室内１００、及び／又は、屋根空間２００の適所の何れかに、吸込口、又は吹出口を開設することも有効である。即ち、空気換気量の拡充を確保と、全体換気の促進などを考える趣旨である。
【００３８】
前述した角隅吹出口１５、角隅吸込口１６、排気口１１、又は外気角隅吸込口２１とか、吸込口等は、例えば図３（ロ）に示すように、口、孔の形状に限らず、例えば、スリット、細孔、透孔、メッシュ、長孔等の形態とか、又は隙間等の全ての形態を採用可能であり、必要とする箇所、例えば、床５、天井４、壁３、及び／又は、床下６等に最適な空気通を利用できる。これにより、各場所の景観を損ねず、また建物１の形態にマッチングできる。換言すると、景観、構造とか、強度維持の全ての要望に応え得る。
【００３９】
前述した、各実施例は、好ましい一例である。この各実施例の趣旨の範囲において、構成の一部を変更する構造、又は同じ特徴と効果を達成できる構造、等は、本発明の範疇である。
【符号の説明】
【００４０】
１  建屋
１００  室内
１０１  室外
１０２  棟
２  屋根
２ａ  壁
２００  屋根空間
３  壁
４  天井
５  床
６  床下
６ａ  壁
６００  床下空間
１０  送風機
１０ａ  送風機
１０ｂ  送風機
１０ｃ  送風機
１１  排気口
１２シャッタ
１５  角隅吹出口
１６  角隅吸込口
２０  真上流路
２１  外気角隅吸込口
Ａ  汚染空気
Ａ１  第１空気流
Ａ２  第２空気流
【図１】
2022000602.tif 000003
【図２】
2022000602.tif 000004
【図３】
2022000602.tif 000005
【図４】
2022000602.tif 000006
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
床下より外気を吸込み、床角隅、及び室内角隅を経由し、屋根裏の棟から室内空気を排気する複数の真上流路を備えた建屋において、
前記複数の真上流路は、前記床角隅、及び前記室内角隅にそれぞれ形成し、
この複数の真上流路の下端は、前記床角隅に形成した複数の吸込口に、また、この複数の真上流路の上端は、前記室内角隅に開口した複数の吹出口、及び前記屋根裏の複数の排気口に、それぞれ連係し、
前記複数の吸込口は、前記建屋の床下角隅に形成した複数の角隅吸込口に、それぞれ連係し、
前記排気口には、排気用の送風機を配備し、
た構成であって、
前記複数の真上流路を流れる複数の第１空気流の流れにより、前記室内空気を誘引し、この複数の室内空気の流れは、複数の第２空気流となり、
前記複数の吸込口と、前記室内角隅の前記複数の吹出口に連係した前記複数の第１空気流は、前記建屋の各角隅に形成するとともに、この建屋の各角隅に、前記複数の第１空気流用の送風機を付設する
構成とした建屋。
【請求項２】
前記真上流路、前記第２空気流、及び前記屋根裏に、それぞれ、送風機（１０ａ）、送風機（１０ｂ）、及び送風機（１０ｃ）を配備する構成とした請求項１に記載の建屋。
【請求項３】
前記複数の吸込口、及び／又は、前記排気口にシャッタを配備し、このシャッタは、前記建屋に備えたセンサの働きで、自動開閉する構成とした請求項１に記載の建屋。
【請求項４】
前記排気用の送風機で、前記排気口より、前記建屋の空気を排出する構成とした請求項１に記載の建屋。
【手続補正２】
【補正対象書類名】明細書
【補正対象項目名】００１４
【補正方法】変更
【補正の内容】
【００１４】
請求項１では、
床下より外気を吸込み、床角隅、及び室内角隅を経由し、屋根裏の棟から室内空気を排気する複数の真上流路を備えた建屋において、
複数の真上流路は、床角隅、及び室内角隅にそれぞれ形成し、
複数の真上流路の下端は、床角隅に形成した複数の吸込口に、また、複数の真上流路の上端は、室内角隅に開口した複数の吹出口、及び屋根裏の複数の排気口に、それぞれ連係し、
複数の吸込口は、建屋の床下角隅に形成した複数の角隅吸込口に、それぞれ連係し、
排気口には、排気用の送風機を配備し、
た構成であって、
複数の真上流路を流れる複数の第１空気流の流れにより、室内空気を誘引し、複数の室内空気の流れは、複数の第２空気流となり、
複数の吸込口と、室内角隅の複数の吹出口に連係した複数の第１空気流は、建屋の各角隅に形成するとともに、建屋の各角隅に、複数の第１空気流用の送風機を付設する
構成とした建屋である。
【手続補正３】
【補正対象書類名】明細書
【補正対象項目名】００１５
【補正方法】変更
【補正の内容】
【００１５】
請求項１は、建屋の各角隅の真上流路と、この真上流路の流れに、室内空気を誘引し、各角隅には、第１空気流の垂直な流路を形成する。即ち、第１空気流用の送風機を付設する構成であり、真上流路（垂直な流路）を形成できる。また、請求項１は、第１空気流で、室内を移動する第２空気流を誘引することで、室内の汚染空気を、第２空気流により建屋の角隅に誘引し、その後、垂直な流路を介して、屋根空間に吹き出し、この汚染空気を、排気口と換気用の送風機を介し、室外に排気できる利点がある。
【手続補正４】
【補正対象書類名】明細書
【補正対象項目名】００１６
【補正方法】変更
【補正の内容】
【００１６】
請求項２では、
真上流路、第２空気流、及び屋根裏に、それぞれ、送風機（１０ａ）、送風機（１０ｂ）、及び送風機（１０ｃ）を配備する構成とした建屋である。
【手続補正５】
【補正対象書類名】明細書
【補正対象項目名】００１８
【補正方法】変更
【補正の内容】
【００１８】
請求項３では、
複数の吸込口、及び／又は、排気口にシャッタを配備し、シャッタは、建屋に備えたセンサの働きで、自動開閉する構成とした建屋である。
【手続補正６】
【補正対象書類名】明細書
【補正対象項目名】００２０
【補正方法】変更
【補正の内容】
【００２０】
請求項４では、
排気用の送風機で、排気口より、建屋の空気を排出する構成とした建屋である。
【手続補正７】
【補正対象書類名】明細書
【補正対象項目名】００２６
【補正方法】変更
【補正の内容】
【００２６】
図２に、建屋１の屋根２を欠截した上で、室内１００の空気の流れと、後述する角隅吹出口１５、角隅吸込口１６、及び外気角隅吸込口２１を俯瞰視した俯瞰模式図を示す。図中カットＡは、建屋１の屋根２に加えて天井４をカットした状態における俯瞰模式図で、さらに、カットＢは建屋１の屋根２に加えて天井４と床５をカットした状態における、床下空間６００の俯瞰模式図を示す。汚染空気Ａが第２空気流Ａ２により建屋１の角隅に誘引されることを示している。
【手続補正８】
【補正対象書類名】明細書
【補正対象項目名】００２８
【補正方法】変更
【補正の内容】
【００２８】
図３（イ）の如く、壁３は、後述する床５の角隅に開口した角隅吸込口１６から送られる空気を、床５から天井４に送る真上流路２０を、それぞれの角隅に、形成する。この真上流路２０の形成は、天井４のそれぞれの角隅に開口した角隅吹出口１５から屋根空間２００に吹き出される汚染空気Ａの流量と風速の働きによる。そして、この汚染空気Ａの流れを第１空気流Ａ１と称する。また、この第１空気流Ａ１は、室内１００の中を流れるか、又は留まる空気（澱んだ空気）を引き寄せる働きがあって、室内１００の換気を促進する。そして、この室内１００の中を流れるか、又は留まる空気（澱んだ空気）を引き寄せる働きを、第２空気流Ａ２と称する。また、壁３の近辺は、空気が澱み易くなり、この澱んだ汚染空気Ａは、第１空気流Ａ１に誘引されて、角隅吹出口１５に送られる。また、図３（ロ）の如く、角隅吸込口１６をスリット形状とし、角隅吸込口１６から室内１００に導入する空気量を調整しても良い。